(57)【要約】      （修正有）【課題】画像の視認性を向上させ、人同士の接触を低減するサイネージシステム及び制御方法を提供する。【解決手段】サイネージシステム１は、画像投映装置２と、スクリーン３と、第１の検知部６と、第２の検知部７と、スクリーン制御部５とを有する。スクリーンは、扉の一方に設置され、透過率を変更可能なスクリーンである。第１の検知部は、扉の一方に位置する人を検知する。第２の検知部は、扉の他方に位置する人を検知する。スクリーン制御部は、第１の検知部と第２の検知部との両方からともに出力された検知信号に応じて、スクリーンの透過率が所定値未満である場合に、透過率を上昇させるための制御を実行する。【選択図】図１
2018074314.tif 000002
【特許請求の範囲】
【請求項１】
扉の一方に設置され、透過率を変更可能なスクリーンと、
前記扉の一方に位置する人を検知する第１の検知部と、
前記扉の他方に位置する人を検知する第２の検知部と、
前記第１の検知部と前記第２の検知部との両方からともに出力された検知信号に応じて、前記スクリーンの前記透過率が所定値未満である場合に、前記透過率を上昇させるための制御を実行するスクリーン制御部と
を有することを特徴とするサイネージシステム。
【請求項２】
前記スクリーンに対する画像の投影を制御する投影制御部をさらに有し、
前記投影制御部は、前記第１の検知部と前記第２の検知部との両方からともに出力された前記検知信号に応じて、前記スクリーンに対する前記画像の投影を停止させるための制御を実行することを特徴とする請求項１に記載のサイネージシステム。
【請求項３】
前記投影制御部は、前記第１の検知部と前記第２の検知部との両方からの前記検知信号が所定時間内に受け付けられた場合に、前記スクリーンに対する前記画像の投影を停止させるための制御を実行することを特徴とする請求項２に記載のサイネージシステム。
【請求項４】
前記スクリーン制御部は、前記第１の検知部と前記第２の検知部との両方からの前記検知信号が所定時間内に受け付けられた場合に、前記スクリーンの前記透過率を上昇させるための制御を実行することを特徴とする請求項１〜３の何れか一つに記載のサイネージシステム。
【請求項５】
前記第１の検知部と前記第２の検知部とは、前記扉を開閉するためのセンサとは独立して設置されていることを特徴とする請求項１〜４の何れか一つに記載のサイネージシステム。
【請求項６】
前記第１の検知部と前記第２の検知部とによる検知範囲は、前記センサによる検知範囲と比較して、広範囲に設定されることを特徴とする請求項５に記載のサイネージシステム。
【請求項７】
前記第１の検知部と前記第２の検知部とによる検知範囲は、前記センサによる検知範囲と比較して、前記扉の位置からより遠くに設定されることを特徴とする請求項５に記載のサイネージシステム。
【請求項８】
前記第１の検知部と前記第２の検知部とによる検知範囲は、前記第１の検知部又は前記第２の検知部による検知から所定時間後に、前記センサによる検知に応じた前記扉の開動作が実行されるように設定されることを特徴とする請求項５に記載のサイネージシステム。
【請求項９】
前記第１の検知部と前記第２の検知部とは、前記扉を開閉するためのセンサとして機能することを特徴とする請求項１〜４の何れか一つに記載のサイネージシステム。
【請求項１０】
前記第１の検知部と前記第２の検知部とによるサイネージ用の検知範囲は、前記センサとしての検知範囲と比較して、広範囲に設定されることを特徴とする請求項９に記載のサイネージシステム。
【請求項１１】
前記第１の検知部と前記第２の検知部とによるサイネージ用の検知範囲は、前記センサとしての検知範囲と比較して、前記扉の位置からより遠くに設定されることを特徴とする請求項９に記載のサイネージシステム。
【請求項１２】
前記第１の検知部と前記第２の検知部とによるサイネージ用の検知範囲は、前記サイネージ用の検知から所定時間後に、前記センサとしての検知に応じた前記扉の開動作が実行されるように設定されることを特徴とする請求項９に記載のサイネージシステム。
【請求項１３】
サイネージシステムで実行される制御方法であって、
透過率を変更可能なスクリーンが設置された扉の一方に位置する人を検知する工程と、
前記扉の他方に位置する人を検知する工程と、
前記扉の一方と他方との両方での人の検知によって出力された検知信号に応じて、前記スクリーンの前記透過率が所定値未満である場合に、前記透過率を上昇させるための制御を実行する工程と
を含むことを特徴とする制御方法。
【発明の詳細な説明】
【技術分野】
【０００１】
本発明は、サイネージシステム及び制御方法に関する。
【背景技術】
【０００２】
従来、店舗等の窓やドアに貼り付けたスクリーンに、プロジェクタにより画像を投影して、通行人や入場者に情報を伝達するサイネージシステムが知られている。
【０００３】
例えば、特許文献１（特開２００１−３０５９８９号公報）では、ドアに設けられた透過性スクリーンに投影装置で画像を投影するサイネージシステムにおいて、ドアの開放が検出された場合に、投影装置による投影を中断する技術が開示されている。また、例えば、特許文献２（特開平６−４３８２１号公報）では、入口ドアに形成された透光性のスクリーンに、店内に設けられたプロジェクタから画像を投影し、入口ドアに接近する人を感知するセンサによって感知信号が出力された場合に、画像の投影を中断する技術が開示されている。これらの技術によれば、店舗等の入口を通過する人の目に投影光が直接入ることを防止することができる。
【発明の概要】
【発明が解決しようとする課題】
【０００４】
しかしながら、従来技術は、画像の視認性が低く、人同士の接触を低減することが困難であるという問題がある。具体的には、従来技術は、透明なスクリーンが使用される場合に、投影される画像が暗くなることで視認性が低くなる。また、透明なスクリーンが使用される場合は、光が拡散されにくく、輝度の高いポイントが発生することで、人に対して眩しく感じさせてしまう。また、不透明なスクリーンが使用される場合は、入口側と出口側との両方から人がドアを通過する際、スクリーンによって人の存在を感知しにくくなっていることで、人同士が接触する可能性がある。
【０００５】
本発明は、上記に鑑みてなされたものであって、画像の視認性を向上させ、人同士の接触を低減することを目的とする。
【課題を解決するための手段】
【０００６】
上述した課題を解決し、目的を達成するため、本発明に係るサイネージシステムは、扉の一方に設置され、透過率を変更可能なスクリーンと、前記扉の一方に位置する人を検知する第１の検知部と、前記扉の他方に位置する人を検知する第２の検知部と、前記第１の検知部と前記第２の検知部との両方からともに出力された検知信号に応じて、前記スクリーンの前記透過率が所定値未満である場合に、前記透過率を上昇させるための制御を実行するスクリーン制御部とを有する。
【発明の効果】
【０００７】
本発明の一つの様態によれば、画像の視認性を向上させ、人同士の接触を低減することができるという効果を奏する。
【図面の簡単な説明】
【０００８】
【図１】図１は、実施の形態１に係るサイネージシステムのシステム構成例を示す図である。
【図２】図２は、実施の形態１に係るサイネージシステムの電気・電子的な構成例を示すブロック図である。
【図３】図３は、実施の形態１に係るサイネージシステムによる全体処理の流れの例を示すシーケンス図である。
【発明を実施するための形態】
【０００９】
以下に添付図面を参照して、本発明に係るサイネージシステム及び制御方法の実施の形態を説明する。なお、以下の実施の形態により本発明が限定されるものではない。
【００１０】
（実施の形態１）
図１を用いて、実施の形態１に係るサイネージシステム１のシステム構成を説明する。図１は、実施の形態１に係るサイネージシステム１のシステム構成例を示す図である。
【００１１】
図１に示すように、サイネージシステム１には、画像投影装置２と、スクリーン３と、扉４と、スクリーン制御部５と、第１の検知部６と、第２の検知部７と、コントローラ８とが含まれる。例えば、サイネージシステム１は、コンビニエンスストア等の店舗に設けられる。
【００１２】
画像投影装置２は、スクリーン３に対して画像や映像（以下、「画像」と呼ぶ）を投影する。画像投影装置２は、店舗内に設けられ、店舗内の天井に設けられた天吊り金具等の支持器具９に支持される。画像投影装置２は、例えば、単板式のＤＬＰ（Digital  Light  Processing）（登録商標）プロジェクタである。単板式のＤＬＰプロジェクタは、光源と映像再生装置との間に高速で回転するカラーホイールを配置し、赤・緑・青の光を時分割で映像再生装置に当ててスクリーン３に投影するものである。映像再生装置は、ＤＭＤ（Digital  Micromirror  Device）（登録商標）である。本実施の形態において、画像投影装置２は、スクリーン３に対して斜め上方より画像を投影できるように設置される。例えば、画像投影装置２は、画像を投影している状況において、後述するコントローラ８からトリガー信号を受信した場合に、画像の投影を停止させるための制御を実行する。
【００１３】
スクリーン３は、扉４の一方（店舗内側）に貼り付けられた液晶スクリーンである。スクリーン３は、画像投影装置２から投影される光線の延長上に配置される。スクリーン３の形状は、例えば平面・矩形状である。なお、スクリーン３の形状は、平面・矩形状に限られるものではなく、円形状等の任意の形状とすることができる。スクリーン３は、非通電時は白濁しており、電圧が印加されることで透明にすることができる。つまり、スクリーン３は、その透過率を変更することが可能な投影面となる。白濁したスクリーン３であれば、透明なスクリーンよりも光の拡散性を高め、投影される画像を明るくし、画像の視認性を向上させることができる。また、白濁したスクリーン３であれば、輝度の高いポイントの発生を削減することができる。
【００１４】
扉４は、例えば店舗内と店舗外とを仕切るガラス製の自動ドアである。扉４の自動開閉は、例えば予め設置されたセンサによる人の検知に応じて実現する。なお、扉４の自動開閉のトリガーは、スイッチを手動で押下することによるものでも良いし、タッチ式によるものでも良い。また、扉４の形状は、スライドドア、スイングドア、円形ドア、回転ドアの何れでも良い。
【００１５】
スクリーン制御部５は、スクリーン３を制御する。具体的には、スクリーン制御部５は、後述するコントローラ８からトリガー信号を受信した場合に、スクリーン３を制御する。例えば、スクリーン制御部５は、スクリーン３の透過率を上昇させるための制御として、白濁しているスクリーン３に電圧を印加する。つまり、スクリーン制御部５は、スクリーン３の透過率が所定値未満である場合に、スクリーン３の透過率を上昇させるための制御を実行する。また、スクリーン制御部５は、電源からの電力をスクリーン３に対して供給する役割を担う。
【００１６】
第１の検知部６は、人等の物体を検知する。例えば、第１の検知部６は、店舗内（出口側）に設置され、扉４の一方（店舗内側）に位置する人を検知する。そして、第１の検知部６は、人を検知したことを示す検知信号をコントローラ８に対して送信する。
【００１７】
第２の検知部７は、人等の物体を検知する。例えば、第２の検知部７は、店舗外（入口側）に設置され、扉４の他方（店舗外側）に位置する人を検知する。そして、第２の検知部７は、人を検知したことを示す検知信号をコントローラ８に対して送信する。
【００１８】
第１の検知部６及び第２の検知部７による検知信号の送信は、ＵＳＢ（Universal  Serial  Bus）端子等を介した有線通信で実現されても良いし、無線通信で実現されても良い。第１の検知部６及び第２の検知部７は、赤外線センサ、熱センサ、マイクロ波センサ、超音波センサ、光線反射センサ等の何れの方式で実現されても良い。また、第１の検知部６及び第２の検知部７の設置位置は、天井、無目、壁、柱、床、扉４本体等の何れの位置であっても良い。
【００１９】
コントローラ８は、第１の検知部６及び第２の検知部７の両方から検知信号を受信した場合に、画像投影装置２やスクリーン制御部５に対して、画像の視認性を向上させたり、人同士の接触を低減させたりするための制御を行なうトリガーとなるトリガー信号を送信する。これにより、画像投影装置２は、トリガー信号を受信した場合に、画像の投影を停止させるための制御を実行する。また、スクリーン制御部５は、トリガー信号を受信した場合に、スクリーン３の透過率が所定値未満であれば、スクリーン３の透過率を上昇させるための制御を実行する。
【００２０】
次に、図２を用いて、実施の形態１に係るサイネージシステム１の電気・電子的な構成について説明する。図２は、実施の形態１に係るサイネージシステム１の電気・電子的な構成例を示すブロック図である。
【００２１】
第１の検知部６は、扉４の一方に位置する人を検知する。より具体的には、第１の検知部６は、扉４の店舗内側に位置する人を検知し、人を検知したことを示す検知信号をコントローラ８に対して送信する。一つの様態として、第１の検知部６は、扉４を開閉するためのセンサとは独立して設置される。
【００２２】
第２の検知部７は、扉４の他方に位置する人を検知する。より具体的には、第２の検知部７は、扉４の店舗外側に位置する人を検知し、人を検知したことを示す検知信号をコントローラ８に対して送信する。一つの様態として、第２の検知部７は、扉４を開閉するためのセンサとは独立して設置される。
【００２３】
また、扉４の入口側と出口側との双方から人が出入りする状況においては、少なくとも、白濁しているスクリーン３の透過率を上昇させたうえで、扉４の開動作が実施されることが好ましい。このため、第１の検知部６や第２の検知部７の検知があってから所定時間後（例えば、１秒経過後）に、扉４の開動作が実施されるように、第１の検知部６及び第２の検知部７の検知範囲を設定する。これにより、スクリーン３が貼り付けられた扉４が開く前に、人の存在を認識できる効果がある。
【００２４】
そのため、扉４を開閉するためのセンサとは独立して第１の検知部６及び第２の検知部７を設置する場合に、第１の検知部６及び第２の検知部７による検知範囲は、扉４を開閉するためのセンサによる検知範囲と比較して、広範囲に設定される。または、第１の検知部６及び第２の検知部７による検知範囲は、扉４を開閉するためのセンサによる検知範囲と比較して、扉４の位置からより遠くに設定される。これらにより、第１の検知部６及び第２の検知部７による人の検知が行なわれてから、扉４を開閉するためのセンサによる人の検知が行なわれることになる。つまり、第１の検知部６及び第２の検知部７による検知に応じてスクリーン３の透過率が上昇し、その後、扉４の開動作が実施されることになる。
【００２５】
コントローラ８は、第１の検知部６及び第２の検知部７からの検知信号の受信に応じて、スクリーン制御や画像投影制御のトリガーとなるトリガー信号を、スクリーン制御部５や画像投影装置２に対して送信する。より具体的には、コントローラ８は、第１の検知部６及び第２の検知部７の両方から検知信号を受信した場合に、スクリーン制御部５や画像投影装置２に対してトリガー信号を送信する。
【００２６】
また、コントローラ８は、スクリーン３の透明化やスクリーン３に対する画像投影の停止が行なわれている状況において、第１の検知部６と第２の検知部７との両方から検知信号を受信されない場合に、スクリーン制御部５や画像投影装置２に対して復帰信号を送信する。復帰信号は、透明化されたスクリーン３を白濁状態に戻したり、停止されているスクリーン３に対する画像投影を再開させたりするためのものである。すなわち、扉４の入口側と出口側とで人が検知されたことによって、スクリーン３の透明化やスクリーン３に対する画像投影が停止した後、扉４の入口側と出口側とで人が検知されなければ、白濁状態のスクリーン３に戻し、スクリーン３に対する画像投影を再開させる。
【００２７】
なお、第１の検知部６及び第２の検知部７の両方からの検知信号の受信は、第１の検知部６と第２の検知部７とで同時でなくても良い。例えば、コントローラ８は、第１の検知部６と第２の検知部７との両方からの検知信号を所定の時間内（例えば、３秒以内）に受信した場合に、スクリーン制御部５や画像投影装置２に対してトリガー信号を送信する。同様に、コントローラ８は、トリガー信号を送信した後、第１の検知部６と第２の検知部７との両方からの検知信号を所定の時間内に受信されなかった場合に、スクリーン制御部５や画像投影装置２に対して復帰信号を送信する。
【００２８】
スクリーン制御部５は、第１の検知部６と第２の検知部７とからそれぞれ出力された検知信号に応じて、スクリーン３を制御する。より具体的には、スクリーン制御部５は、第１の検知部６と第２の検知部７とのそれぞれから出力された検知信号をもとに、コントローラ８によって送信されたトリガー信号を受信した場合に、スクリーン３の透過率を上昇させるための制御を実行する。例えば、スクリーン制御部５は、白濁しているスクリーン３に電圧を印加することで、スクリーン３の透過率を上昇させる。
【００２９】
スクリーン３の透過率を上昇させるのは、スクリーン３が貼り付けられた扉４が開いた直後における人同士の接触を回避するためである。また、通常時にスクリーン３を白濁化させているのは、画像の視認性を向上させるためである。なお、スクリーン３の透明化については、スクリーン３全体に適用しても良いし、スクリーン３の一部に適用しても良い。また、スクリーン制御部５は、コントローラ８によって送信された復帰信号を受信した場合に、透明化されたスクリーン３を白濁状態に戻すための制御を実行する。
【００３０】
図２に示すように、画像投影装置２は、投影制御部２１と、画像入力部２２と、光変調素子２３と、光源２４とを有する。また、投影制御部２１は、メイン制御部２１１と、光変調素子制御部２１２と、光源制御部２１３とを有する。
【００３１】
画像入力部２２は、画像媒体（例えば、ＰＣ、ＵＳＢメモリ、サーバ等）３０からコンテンツの画像にかかる画像信号を入力する。画像入力部２２は、入力された画像信号を投影制御部２１に対して出力する。
【００３２】
投影制御部２１は、画像入力部２２によって出力された画像信号をもとに、スクリーン３に対する画像の投影に関する各種制御を実行する。投影制御部２１が有する各部（メイン制御部２１１、光変調素子制御部２１２、光源制御部２１３）は、例えば、プロセッサやメモリを含むコンピュータシステム、又は、ＦＰＧＡやＡＳＩＣ等の専用ハードウェアを用いて実現される。これらの各部の機能を実現するハードウェアは、例えば、画像投影装置２内部に配置された回路基板に実装される。
【００３３】
投影制御部２１を実現するコンピュータシステムで実行されるプログラムは、ＲＯＭ等に予め組み込まれて提供される。また、投影制御部２１を実現するコンピュータシステムで実行されるプログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成しても良い。
【００３４】
さらに、投影制御部２１を実現するコンピュータシステムで実行されるプログラムを、インターネット等のネットワークに接続されたコンピュータ上に格納し、ネットワーク経由でダウンロードさせることにより提供するように構成しても良い。また、投影制御部２１を実現するコンピュータシステムで実行されるプログラムを、インターネット等のネットワーク経由で提供又は配布するように構成しても良い。
【００３５】
メイン制御部２１１は、画像入力部２２によって出力された画像信号をもとに、光変調素子制御部２１２や光源制御部２１３の制御を行ない、スクリーン３に投影する画像を生成する。また、メイン制御部２１１は、第１の検知部６と第２の検知部７とからそれぞれ出力された検知信号をもとに、コントローラ８によって送信されたトリガー信号や復帰信号に応じて、光変調素子制御部２１２や光源制御部２１３を制御する。
【００３６】
メイン制御部２１１は、コントローラ８からトリガー信号を受信した場合、すなわち扉４の入口側と出口側との両側で人が検知された場合に、スクリーン３に対する画像の投影を停止させる（一時的に停止させる）。スクリーン３に対する画像の投影を停止させるのは、スクリーン３が貼り付けられた扉４が開いた直後における人同士の接触を回避するためである。また、メイン制御部２１１は、コントローラ８から復帰信号を受信した場合、すなわち扉４の入口側と出口側との両側で人が検知されなくなった場合に、停止しているスクリーン３に対する画像の投影を再開させる。
【００３７】
光変調素子制御部２１２は、メイン制御部２１１からの制御に従って光変調素子２３を制御する。光変調素子２３は、光変調素子制御部２１２からの制御に従って、光に対して変調を加える。例えば、光変調素子制御部２１２は、メイン制御部２１１からの制御に従って光変調素子２３を制御し、画像投影の停止の一つの様態として、黒画面をスクリーン３に表示させる。また、光変調素子制御部２１２は、メイン制御部２１１からの制御に従って光変調素子２３を制御し、画像投影の再開のために、黒画面にしているスクリーン３を元の表示に戻す。
【００３８】
光源制御部２１３は、メイン制御部２１１からの制御に従って光源２４を制御する。光源２４は、光源制御部２１３からの制御に従って、出射する光の明るさ等を変更する。例えば、光源制御部２１３は、メイン制御部２１１からの制御に従って光源２４に印加する電力を変更し、画像投影の停止の一つの様態として、光源２４からの光の出射を停止させる。スクリーン３の透過率を上昇させた場合は、画像投影装置２による投影光が人の目に入り、眩しく感じさせてしまう可能性がある。このため、光源制御部２１３は、光源２４に印加する電力を低下させる。なお、画像投影装置２による画像投影の停止は、上述した第１の検知部６及び第２の検知部７と、扉４を開閉するためのセンサとの検知範囲の違いにより、扉４の開動作が実施されるよりも前に行なわれる。また、光源制御部２１３は、メイン制御部２１１からの制御に従って光源２４を制御し、画像投影の再開のために、低下させた光源２４に印加する電力を元に戻す。
【００３９】
また、画像投影の停止は、スクリーン制御部５によるスクリーン３の制御後（スクリーン３の透過率を上昇させた後）に実施することもできる。例えば、スクリーン制御部５は、コントローラ８からのトリガー信号に応じてスクリーン３の透過率を上昇させるための制御を実行した場合に、実行を完了したことを示す完了通知をコントローラ８に対して応答する。コントローラ８は、スクリーン制御部５からの完了通知を画像投影装置２に対して送信する。画像投影装置２は、コントローラ８からの完了通知を受信した場合に、画像投影を停止するための制御を実行する。すなわち、画像投影装置２は、コントローラ８からトリガー信号を受信した後に、さらに完了通知を受信した場合に、画像投影を停止するための制御を実行する。
【００４０】
次に、図３を用いて、実施の形態１に係るサイネージシステム１による全体処理の流れを説明する。図３は、実施の形態１に係るサイネージシステム１による全体処理の流れの例を示すシーケンス図である。なお、当初（通常時）は、スクリーン３は白濁状態であるものとする。
【００４１】
図３に示すように、第１の検知部６は、店舗内（出口側）に位置する人を検知する（ステップＳ１０１）。そして、第１の検知部６は、人を検知したことを示す検知信号をコントローラ８に対して送信する（ステップＳ１０２）。第２の検知部７は、店舗外（入口側）に位置する人を検知する（ステップＳ１０３）。そして、第２の検知部７は、人を検知したことを示す検知信号をコントローラ８に対して送信する（ステップＳ１０４）。なお、第１の検知部６及び第２の検知部７による人の検知は、両方によって検知される場合もあるし、一方によって検知される場合もあるし、何れでも検知されない場合もある。
【００４２】
コントローラ８は、第１の検知部６及び第２の検知部７によって送信される検知信号の受信判定を行なう（ステップＳ１０５）。例えば、コントローラ８は、第１の検知部６及び第２の検知部７の両方から同時に（所定の時間内に）検知信号を受信したか否かを判定する。このとき、コントローラ８は、第１の検知部６及び第２の検知部７の両方から同時に検知信号を受信した場合に、スクリーン制御部５に対してトリガー信号を送信する（ステップＳ１０６）。また、コントローラ８は、第１の検知部６及び第２の検知部７の両方から同時に検知信号を受信した場合に、画像投影装置２に対してトリガー信号を送信する（ステップＳ１０７）。一方、コントローラ８は、第１の検知部６及び第２の検知部７の両方から同時に検知信号を受信していない場合に、ステップＳ１０５に戻り、検知信号の受信判定を実行する（ステップＳ１０８）。
【００４３】
スクリーン制御部５は、コントローラ８からトリガー信号を受信すると、スクリーン３の透過率を上昇させるための制御を実行する（ステップＳ１０９）。なお、スクリーン３の透過率を上昇させるための制御は、スクリーン３の透過率が所定値未満である場合に実行されれば良い。そして、スクリーン制御部５は、スクリーン３の透過率を上昇させるための制御の実行が完了した後、コントローラ８に対して完了通知を応答する（ステップＳ１１０）。コントローラ８は、スクリーン制御部５から完了通知を受け付けると、画像投影装置２に対して完了通知を送信する（ステップＳ１１１）。画像投影装置２は、コントローラ８からトリガー信号を受信した後、さらに完了通知を受信すると、スクリーン３に対する画像投影を停止させるための制御を実行する（ステップＳ１１２）。
【００４４】
ここで、サイネージシステム１では、スクリーン３が透明化され、スクリーン３に対する画像投影が停止された後、扉４の開動作が実施される。そして、扉４を開閉するためのセンサによって人が検知されないまま一定時間が経過すると、扉４の閉動作が実施されることになる。
【００４５】
第１の検知部６は、店舗内（出口側）に位置する人を検知する（ステップＳ１１３）。そして、第１の検知部６は、人を検知したことを示す検知信号をコントローラ８に対して送信する（ステップＳ１１４）。第２の検知部７は、店舗外（入口側）に位置する人を検知する（ステップＳ１１５）。そして、第２の検知部７は、人を検知したことを示す検知信号をコントローラ８に対して送信する（ステップＳ１１６）。なお、第１の検知部６及び第２の検知部７による人の検知は、両方によって検知される場合もあるし、一方によって検知される場合もあるし、何れでも検知されない場合もある。
【００４６】
コントローラ８は、第１の検知部６及び第２の検知部７によって送信される検知信号の受信判定を行なう（ステップＳ１１７）。例えば、コントローラ８は、第１の検知部６及び第２の検知部７の両方から同時に（所定の時間内に）検知信号を受信したか否かを判定する。このとき、コントローラ８は、第１の検知部６及び第２の検知部７の両方から同時に検知信号を受信していない場合に、スクリーン制御部５に対して復帰信号を送信する（ステップＳ１１８）。また、コントローラ８は、第１の検知部６及び第２の検知部７の両方から同時に検知信号を受信していない場合に、画像投影装置２に対して復帰信号を送信する（ステップＳ１１９）。一方、コントローラ８は、第１の検知部６及び第２の検知部７の両方から同時に検知信号を受信した場合に、ステップＳ１１７に戻り、検知信号の受信判定を実行する（ステップＳ１２０）。
【００４７】
スクリーン制御部５は、コントローラ８から復帰信号を受信すると、透明化されたスクリーン３を白濁化させるための制御を実行する（ステップＳ１２１）。画像投影装置２は、コントローラ８から復帰信号を受信すると、停止しているスクリーン３に対する画像投影を再開させるための制御を実行する（ステップＳ１２２）。
【００４８】
ここで、サイネージシステム１では、白濁状態のスクリーン３に画像投影される状況となる。そして、サイネージシステム１では、図示した処理シーケンスがステップＳ１０１から再度実行される。
【００４９】
サイネージシステム１では、店舗等の出入口に設置された扉４の入口側と出口側との両方で人が検知された場合に、扉４の一方に設置されたスクリーン３の透過率を上昇させるための制御を実行するので、画像の視認性を向上させ、人同士の接触を低減することができる。換言すると、サイネージシステム１では、白濁状態のスクリーン３により画像の視認性を向上させ、扉４の入口側と出口側との両方で人が検知された場合にスクリーン３の透過率を上昇させるので、入口側と出口側との両方から人が通過する際、扉４の奥が見えやすくなり、扉４が開いた直後における人同士の接触を低減することができる。
【００５０】
また、サイネージシステム１では、透明化したスクリーン３に対する画像投影を停止するので、投影光が目に入り、眩しく感じさせてしまうことを抑制することができる。また、サイネージシステム１では、扉４を開閉するためのセンサとは独立して、第１の検知部６と第２の検知部７とを設置し、各検知部による検知範囲を、センサによる検知範囲と比較して広範囲に設定することで、各検知部による検知に応じてスクリーン３の透過率を上昇させたうえで、扉４の開動作が実施されるため、扉４の奥に存在する人を感知しやすくなり、人同士の接触を低減することができる。
【００５１】
また、サイネージシステム１では、各検知部による検知範囲を、センサによる検知範囲と比較して扉４の位置からより遠くに設定することで、各検知部による検知に応じてスクリーン３の透過率を上昇させたうえで、扉４の開動作が実施されるため、扉４の奥に存在する人を検知しやすくなり、人同士の接触を低減することができる。また、サイネージシステム１では、各検知部による検知範囲を、各検知部による検知から所定時間後にセンサによる検知に応じた扉４の開動作が実施されるように設定するので、人同士の接触を低減することができる。
【００５２】
（実施の形態２）
さて、これまで本発明に係るサイネージシステム１の実施の形態について説明したが、上述した実施の形態以外にも種々の異なる形態にて実施されて良いものである。そこで、（１）センサの共通化、（２）構成、について異なる実施の形態を説明する。
【００５３】
（１）センサの共通化
上記実施の形態１では、第１の検知部６及び第２の検知部７が、扉４を開閉するためのセンサとは独立して設置される場合を説明した。第１の検知部６及び第２の検知部７は、扉４を開閉するためのセンサと共通であっても良い。扉４を開閉するためのセンサと共通であれば、コストの削減を図ることができる。
【００５４】
具体的には、第１の検知部６と第２の検知部７とは、扉４を開閉するためのセンサとしても機能する。ここで、第１の検知部６と第２の検知部７とによるサイネージ用の検知範囲は、扉４を開閉するためのセンサとしての検知範囲と比較して、広範囲に設定される。または、第１の検知部６と第２の検知部７とによるサイネージ用の検知範囲は、扉４を開閉するためのセンサとしての検知範囲と比較して、扉４の位置からより遠くに設定される。すなわち、第１の検知部６と第２の検知部７とによるサイネージ用の検知範囲は、サイネージ用の検知から所定時間後に、扉４を開閉するためのセンサとしての検知に応じた扉４の開動作が実行されるように設定される。
【００５５】
（２）構成
上記文書中や図面中等で示した処理手順、制御手順、具体的名称、各種のデータやパラメータ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【符号の説明】
【００５６】
１  サイネージシステム
２  画像投影装置
３  スクリーン
４  扉
５  スクリーン制御部
６  第１の検知部
７  第２の検知部
８  コントローラ
９  支持器具
２１  投影制御部
２２  画像入力部
２３  光変調素子
２４  光源
３０  画像媒体
２１１  メイン制御部
２１２  光変調素子制御部
２１３  光源制御部
【先行技術文献】
【特許文献】
【００５７】
【特許文献１】特開２００１−３０５９８９号公報
【特許文献２】特開平６−４３８２１号公報
【図１】
2018074314.tif 000003
【図２】
2018074314.tif 000004
【図３】
2018074314.tif 000005